(57)【要約】本発明は、視野計半球の内部への光パターンの投射によって人間の目を刺激するための方法および装置に関する。本発明によれば、観察者の目は、赤外線カメラで撮影された像が画像処理を利用した評価を実行するのに十分大きなコントラストを有するように、非可視領域の光（赤外線）で照明される。さらに、現在の観察方向が、目の一般的特性を用いて該画像から計算される。また、次の光学刺激の座標が、意図した網膜領域が刺激されるように、設定される。
2004513731.tif 000002
【特許請求の範囲】
【請求項１】
視野計半球の内部への光パターンの投射により、人間の目を光学的に刺激するための方法であって、
光パターンが、光源、開口装置、レンズ装置および光分配器の支援によって視野計半球に投射され、視野計半球上の光パターンの位置が視線を辿ることを特徴とする方法。
【請求項２】
光パターンはコンピュータ制御により生成され、その輝度、色、幾何学的配置および時間を調整可能であることを特徴とする請求項１に記載の方法。
【請求項３】
視野計半球（１）の内部への光パターンの投射によって人間の目を刺激するための装置であって、視野計半球（１）の上に光パターンを投射している間に、検査を受ける目の視線の決定するためのツールが、手近にあることを特徴とする装置。
【請求項４】
赤外線光源（７）と、画像評価機能を備えた赤外線カメラ（８）が、前記視線の決定用ツールとして使用されることを特徴とする請求項３に記載の装置。
【請求項５】
光分配器がマルチミラー装置として、またはＤ−ＩＬＡ装置として、または回転スキャナとして、またはガルバノミラースキャナとして、あるいはそれらの原理の組み合わせで設計されていることを特徴とする請求項３および４のいずれか一項に記載の装置。
【発明の詳細な説明】
【０００１】
（発明の名称）
人間の目を光学的に刺激するための方法および装置
（発明の属する技術分野）
視野計半球の内部への光パターンの投射によって人間の目を光学的に刺激するための方法および装置に関する。
【０００２】
（最新の技術）
最新の技術によると、空間的に固定された座標系を使用する光学的刺激システムが知られている。これによると、観察者は自身の視野を、この座標系中の規定された観察者によってよく見える箇所に向ける。このような条件下では、視線に対する既存の固定を意味する、座標系に対して予め規定された空間的関係での光刺激は、平面領域または球状領域に投射されるか、あるいは、活動光源が該領域で統合される場合には、そのような光源が活動する。
【０００３】
眼科生理学から分かっていることに、固定箇所を慎重に凝視した状態であっても、自発的な目の運動は起こる。こうして起こる公称位置からの角度のずれは、その大きさを考慮すると、目の診断に関しては通常無視することが可能である。
【０００４】
現行の方法は、網膜の投射に対する光刺激の規定空間への割り当てが、規定位置から視線の許容限界から外れることに関して今は保証されていないという、欠点を有する。従って、測定データを使用することはできず、検査が遅れる。
【０００５】
必要な視線の許容限界から外れる理由は、その性質上、主観的であったり、客観的であったりする。典型的な主観的理由は、検査を受けた人による、病気または障害のシミュレーションである。それほど頻繁でない理由は、悪化である。検査を受けた人は、視野の障害を隠そうとする。
【０００６】
規定された視線の維持に関する問題の大半は、客観的理由によると思われる。患者は協力的でないか（小さな子供、精神的に病んだ人、精神障害者）または視野の欠損を既に有しており（中心暗点）、この場合、中心視野の固定は不可能である。したがって、そのような患者は、光学システムの固定座標での視野計の使用に基づく一般的検査法では、診断することができない。
【０００７】
（発明の説明）
したがって本発明の目的は、目の動きにかかわらず意図した網膜領域を光学的に刺激できるように、光学システムの座標に関して、検査を受ける人の実際の視線を追跡することを可能にする、方法および装置を提供することにある。
【０００８】
本発明によれば、視野計半球の内部への光パターンの投射による人間の目の光学刺激の方法の間に意図されるのは、
−　光パターンが、光源、開口装置、レンズ装置および光分配器の支援により、視野計半球に投射されること、および
−　視野計半球上の光パターンの位置が、目の視線の後を辿ることである。
【０００９】
本発明の方法の好ましい改良では、光パターンが、コンピュータ制御によって生成され、その輝度、色、幾何学的配置および時間を調整することができる。
本発明の方法において、視野計光学機器の座標系は、絶えず観察者の実際の視線の後を辿り、その結果、網膜上の意図領域を、観察者の意志にかかわらず、常に光学的にシミュレートできる。
【００１０】
そのようにして、一般的方法で見られるような間違った固定による視野計検査の中断が、今や不要となる。
本発明は、更に、視野計半球上への光パターンの投射中に検査を受けている目の視線を決定する方法を利用可能な、視野計半球の内部への光パターンの投射による人間の目の刺激のための装置に関する。
【００１１】
赤外線光源と、画像評価機能を備えた赤外線カメラが、視線の決定のための方法として好まれる。
本発明の一層のさらなる改良では、光分配器を、マルチミラー装置として、またはＤ−ＩＬＡ装置として、または回転スキャナとして、またはガルバノミラースキャナとして、あるいはこれらの原則を組み合わせて、設計することが可能である。
【００１２】
本発明による装置では、観察者の視野内に平面領域または湾曲領域が位置し、これにより、光の投射によって網膜上の意図領域に光源が打ち当たる様式で、予め規定した箇所に適切な光源で光学刺激を生成する。目の動きはカメラで捕えられ、実際の視線は、画像の情報から決定される。その後、実際の視線から進んで、網膜上の投射箇所が変わらないように、刺激の光学箇所が投射領域上で追跡される。
【００１３】
これは、視線のモニタリングが一定であり、かつ光学システムが視線の変化を辿るために、所望の網膜領域が目の動きがある時でさえ常に刺激されるという長所を有する。これは、自発的に視線を固定を維持したがっているが生理的理由からそうすることができない協力的な患者についてでさえ、特に方法の信頼性および客観性の点で、方法的に有利である。本質的な貢献は、検査する人の協力が客観的に不可能であるかまたは主観的に望まれない場合にも、視野の診断機能が依然として可能であるという事実より理解することができる。固定した目から実行される位相的診断機能を有する現行の方法はすべて、この領域で失敗している。
本発明を、図面を参照しながら説明する。
【００１４】
（図面の詳細な説明）
図１に示されるように、患者は、視野計半球１（コンピュータ６によって生成された刺激パターンが電灯システム２から投射される）の前に座る。照明パターンは、通常検査を受けた人の脳電図（ＥＥＧ）として、刺激に対する応答を生成する。ＥＥＧはＥＥＧ電極システム３の助けを借りて、患者の頭頂部から捕えられ、アンプ４で増幅され、アナログ−ディジタル変換器５でディジタル化される。ＥＥＧは、コンピュータ６において、ディジタル形式で分析および評価される。
【００１５】
所望の網膜領域だけがいつでも刺激されることは、検査の成功にとって非常に重要である。図２に示されるように、刺激箇所ＳＰ１およびＳＰ２から来る光刺激が、網膜状の意図領域に適合するように、検査を受ける人は自身の視点を固定箇所ＢＲ１に集中させなければならない。ＢＲ１に関する視点が固定されず、検査を受けた人が視線を変更したとき、刺激箇所ＳＰ１およびＳＰ２は、所望の刺激パラメータを保証するように、実際の視線（固定箇所ＢＲ２）を辿らなければならない。
【００１６】
この目的で、目が赤外線光源７で照明される。その像は、赤外線カメラ８で撮影されて、画像処理を通じた評価に十分な高さのコントラストを有するようになっている。画像ディジタイザ９でのディジタル化に続いて、画像はコンピュータ６で評価され、実際の視線が決定される。その後、固定箇所が、初期位置（ＢＲ１）から新たな位置（ＢＲ２）になり、従って、刺激箇所ＳＰ１，ＳＰ２は空間的に移動する（ＳＰ’１，ＳＰ’２）。このように、意図した網膜領域が、目の動きがある時でさえ、常に刺激されることが保証される。
【図面の簡単な説明】
【図１】測定領域の概略配線図。
【図２】辿りプロセスに関する光学的視野の原理。
【国際公開パンフレット】
2004513731.tif 000003
2004513731.tif 000004
2004513731.tif 000005
2004513731.tif 000006
2004513731.tif 000007
2004513731.tif 000008
2004513731.tif 000009
2004513731.tif 000010
【国際調査報告】
2004513731.tif 000011
2004513731.tif 000012
2004513731.tif 000013
2004513731.tif 000014